(57)【要約】【課題】照明装置内に水滴が溜まるのを確実に防止して、良好な照明状態が安定して得られると共に清掃等を容易に行い得る浴室の照明装置を提供する。【解決手段】浴室壁面と浴室天井とのコーナ部に配置される浴室の照明装置であって、照明装置の照明灯を有する本体を、コーナ部に隙間形成手段を介して取り付けることにより、本体の裏面側に浴室天井の水滴を浴室壁面に流す隙間を形成してなることを特徴とする。前記照明装置は、例えばその本体がコーナ部の略全域に亘って取り付けられ、前記隙間形成手段は、本体に設けられた凸条もしくは凸部で形成される。【選択図】  図２
2004247163.tif 000002
【特許請求の範囲】
【請求項１】
浴室壁面と浴室天井とのコーナ部に配置される浴室の照明装置であって、
前記照明装置の照明灯を有する本体を、前記コーナ部に隙間形成手段を介して取り付けることにより、前記本体の裏面側に浴室天井の水滴を浴室壁面に流す隙間を形成してなることを特徴とする浴室の照明装置。
【請求項２】
前記本体は、前記コーナ部の略全域に亘って取り付けられることを特徴とする請求項１に記載の浴室の照明装置。
【請求項３】
前記隙間形成手段は、前記本体に形成された凸条もしくは凸部であることを特徴とする請求項１または２に記載の浴室の照明装置。
【請求項４】
前記本体にカバー取付部が一体形成され、該カバー取付部に照明カバーが着脱可能に装着されることを特徴とする請求項１ないし３のいずれかに記載の浴室の照明装置。
【請求項５】
前記照明カバーは、透光部と半透光部とを有することを特徴とする請求項４に記載の浴用の照明装置。
【発明の詳細な説明】
【０００１】
【発明の属する技術分野】
本発明は、例えばユニットバスルーム等の浴室の照明装置に関する。
【０００２】
【従来の技術】
従来、浴室壁面や浴室天井等に配置される浴室の照明装置としては、例えば特許文献１に示すものが提案されている。この照明装置は、図７に示すように、浴室天井１０５に直接取り付けられる照明灯１０４を有する本体１０１と、浴室の対向する浴室壁面１０６にネジ１０７で取り付けられる一対のカバー受け部１０２と、このカバー受け部１０２に横架される横長状の照明用カバー１０３等で構成するようにしたものである。
【０００３】
【特許文献１】
特開２００１−２７３８０８号公報
【０００４】
【発明が解決しようとする課題】
しかしながら、この照明装置１００においては、本体１０１が浴室天井１０５に直接固定されると共に照明用カバー１０３を横架する一対のカバー受け部１０２の後端部が浴室天井１０５と浴室壁面１０６のコーナ部に当接状態で配置されているため、浴室天井１０５に発生した水滴Ｗが傾斜した天井面に沿って流れ、矢印イの如く本体１０１を伝わって下方に流下したり、矢印ロの如く本体１０１下部の浴室天井１０５や浴室壁面１０６を流下して、下方の照明装置１００のカバー受け部１０２や照明用カバー１０３内に溜まる場合がある。
【０００５】
その結果、この溜まった水滴Ｗにより照明装置１００の照明用カバー１０３に光の陰等が生じたり照明用カバー１０３の内面に汚れが発生する場合があり、また清掃等の照明用カバー１０３の取り外し時に、該カバー１０３内等に溜まった水滴Ｗの処理が面倒になるという問題点を有している。
【０００６】
本発明は、このような事情に鑑みてなされたもので、その目的は、照明装置内に水滴が溜まるのを確実に防止して、良好な照明状態が安定して得られると共に清掃等を容易に行い得る浴室の照明装置を提供することにある。
【０００７】
【課題を解決するための手段】
かかる目的を達成すべく、本発明のうち請求項１に記載の発明は、浴室壁面のと浴室天井とのコーナ部に配置される浴室の照明装置であって、前記照明装置の照明灯を有する本体を、前記コーナ部に隙間形成手段を介して取り付けることにより、前記本体の裏面側に浴室天井の水滴を浴室壁面に流す隙間を形成してなることを特徴とする。
【０００８】
このように構成することにより、照明装置は浴室壁面の上部と浴室天井の端部とで形成されるコーナ部に配置され、この時、照明灯を有する本体が隙間形成手段を介してコーナ部に取り付けられる。この隙間形成手段で、例えば本体裏面と浴室天井及び浴室壁面との間に隙間が形成され、この隙間を浴室天井からの水滴が流れて浴室壁面を下方に流れ落ちることから、水滴の照明装置内への侵入が確実に防止される。
【０００９】
そして、前記本体は、請求項２に記載の発明のように、前記コーナ部の略全域に亘って取り付けられることが好ましい。このように構成することにより、例えば照明灯として浴室壁面と略同一長さを有する長尺状の蛍光管等を、水滴溜まりを気にすることなく安心して使用できて、浴室内に所望の照明状態が容易に得られる。
【００１０】
また、前記隙間形成手段は、請求項３に記載の発明のように、前記本体に形成された凸条もしくは凸部であることが好ましい。このように構成することにより、例えば鋼板等からなる本体に凸条や凸部を一体形成することで隙間形成手段が形成され、該隙間形成手段の構成が簡略化される。
【００１１】
また、請求項４に記載の発明のように、前記本体にカバー取付部が一体形成され、該カバー取付部に照明カバーが着脱可能に装着されることが好ましい。このように構成することにより、本体に一体形成されたカバー取付部に照明カバーを簡単に着脱できて、例えば照明カバーの清掃等が容易に行える。
【００１２】
そして、この場合、前記照明カバーは、請求項５に記載の発明のように、透光部と半透光部とを有することが好ましい。このように構成することにより、照明カバーに透光部と半透光部とを所定位置に設定することで、浴室内に所望の照明状態が容易に得られる。
【００１３】
【発明の実施の形態】
以下、本発明の実施の形態を図面に基づいて詳細に説明する。
図１〜図４は、本発明に係わる浴室の照明装置の一実施形態を示し、図１が該照明装置を使用した浴室の内部斜視図、図２が照明装置の断面図、図３が照明カバーの断面図、図４が本体の斜視図である。
【００１４】
図１において、システムバスルーム等の浴室１は、防水パン２と、４枚の浴室壁面としての壁パネル３ａ〜３ｄ（壁パネル３ｄは図示せず）及び浴室天井としての例えばドーム型の天井パネル４によって略箱状に形成され、前記防水パン２の壁パネル３ａ側には浴槽５が設置されると共に、この浴槽５の側方の防水パン２上には洗い場６が設けられている。また、洗い場６の壁パネル３ｂ側にはカウンタ７が設けられ、このカウンタ７上方の壁パネル３ｂには、水栓９、シャワー１０、ミラー１１、収納棚１２等が一体的に組み込まれたミラーパネル８が配置されている。
【００１５】
さらに、浴室１の壁パネル３ｂの上部と天井パネル４の端部とで形成されるコーナ部１３には、浴室１内を所定の明るさで照明する照明装置１４が配置されている。この照明装置１４は、図１及び図２に示すように、長尺状の蛍光管１６が装着される本体１５と、この本体１５に着脱可能に装着される照明カバー１７と、この照明カバー１７の両端部を覆うカバー受け部材１８（図１参照）等で構成されている。
【００１６】
前記本体１５は、図４に示すように、例えば所定板厚の鋼板を所定形状に加工することによって形成され、天井パネル４の端部の曲率と略同一曲率で側面視円弧形状に形成された長尺状の本体基部１５ａを有し、この本体基部１５ａの長手方向の両端部内側には蛍光管ソケット１９がそれぞれ取り付けられている。また、本体基部１５ａの幅方向の両端部には、所定形状で内側方向に屈曲形成された鉤状の照明カバー取付部２０ａ、２０ｂが一体形成されると共に、複数個の取付孔２１が穿設されている。なお、照明カバー取付部２０ａ、２０ｂは、本体基部１５ａの長手方向の略全域に亘って設けても良いし、例えば長手方向に複数に分割状態で設けることもできる。
【００１７】
さらに、本体基部１５ａには、その長手方向の両端部に短手方向に沿って隙間形成手段としての所定長さの凸条２２が本体基部１５ａの裏面側に所定高さ突出する状態で一体形成されている。そして、本体１５は、図２に示すように、本体基部１５ａの凸条２２を天井パネル４の内面に当接させた状態で、取付孔２１から図示しないネジを天井パネル４にねじ込むことによって天井パネル４に取り付けられている。この取付状態において、本体基部１５ａに設けた凸条２２が天井パネル４に当接して取り付けられることから、本体基部１５ａの裏面側に凸条２２の高さと同一間隔の隙間２３が形成されている。なお、本体基部１５ａの長手方向の両端部には、前記カバー受け部材１８が係止される図示しない係止部が一体形成されている。
【００１８】
前記照明カバー１７は、図３に示すように、正面１７ａ、下面１７ｂ及び上部傾斜面１７ｃの３つの面を有して例えば樹脂成形によって長尺状に形成され、下面１７ｂと上部傾斜面１７ｃは透明な樹脂により透光部を形成し、正面１７ａは乳白色の樹脂により半透光部（もしくは非透光部）を形成している。また、照明カバー１７の上部傾斜面１７ｃと下面１７ｂの端部には、鉤状の取付部２５ａ、２５ｂが一体形成されている。そして、この取付部２５ａ、２５ｂが前記本体基部１５ａの照明カバー取付部２０ａ、２０ｂに着脱可能に係止されるようになっており、この照明カバー１７の本体１５への取付時において、照明カバー１７の後端部が壁パネル３ｂに対して所定の隙間２４（図２参照）を有し、この隙間２４は前記隙間２３に連通状態とされている。
【００１９】
この照明装置１４は、次のようにして浴室１のコーナ部１３に取り付けられる。すなわち、蛍光管１６を本体基部１５ａの蛍光管ソケット１９からばすした状態で、例えば本体基部１５ａの両端部にカバー受け部材１８を係止させた状態で、本体基部１５ａの取付孔２１を利用しネジにより本体基部１５ａを天井パネル４の壁パネル３ｂ側の端部に固定する。この本体基部１５ａの取付時に、取付孔２１と天井パネル４との間に、ネジを伝わって本体基部１５ａ内に進入する水滴を防止するために、ネジ部分をスペーサやシール剤（図示せず）等でシールすることが好ましい。
【００２０】
このようにして本体基部１５ａが天井パネル４に固定されると、本体基部１５ａに設けられた凸条２２が天井パネル４に当接し、本体基部１５ａの裏面側に前記隙間２３が形成された状態となる。そして、この状態で、蛍光管１６を蛍光管ソケット１９に装着すると共に、本体基部１５ａのカバー取付部２０ａ、２０ｂに照明カバー１７を取り付ける。
【００２１】
この時、照明カバー１７が樹脂により形成されその一対の取付部２５ａ、２５ｂが図３の矢印ハ方向に変形可能であることから、天井パネル４に固定されている本体基部１５ａに照明カバー１７を前方から押し込むことにより、照明カバー１７の取付部２５ａ、２５ｂが拡開方向に変形しつつ本体基部１５のカバー取付部２０ａ、２０ｂに係止される。これにより、照明カバー１７の長手方向の両端部がカバー受け部材１８で覆われた状態で照明カバー１７が本体１５に取り付けられ、蛍光管１６が照明カバー１７で覆われた状態となる。
【００２２】
そして、この状態で図示しない照明スイッチがオンされることにより、蛍光管１６が点灯して、その光が照明カバー１７の透明な下面１７ｂと上部傾斜面１７ｃから、図２の矢印ニ、ホの如く照射される。この時、照明カバー１７の上部傾斜面１７ｃから照射される光は、曲面状の天井パネル４の内面で反射されつつ浴室１内に照射され、下面１７ｂから直接照射される光と併せ、浴室１内に所定の照明状態が得られることになる。
【００２３】
また、浴室１の使用によって天井パネル４に発生する水滴Ｗは、天井パネル４の内面をその曲面方向に沿って流れ、コーナ部１３において、照明装置１４の本体基部１５ａの裏面側に形成された隙間２３及び照明カバー１７の後端部と壁パネル３ｂ間に形成された隙間２４を図２の矢印ヘの如く流れ、壁パネル３ｂから防水パン２上に回収される。この時、天井パネル４の水滴Ｗは、連通状態の隙間２３、２４を通って壁パネル３ｂに良好に流れ落ちて、照明装置１４内への侵入が確実に防止されることになる。
【００２４】
そして、照明装置１４の例えば蛍光管１６の交換や清掃、あるいは照明カバー１７の清掃のために照明カバー１７を本体１５から取り外す場合は、該照明カバー１７を前方に引っ張ることで、照明カバー１７自体の変形によって本体基部１５ａのカバー取付部２０ａ、２０ｂから取り外すことができる。つまり、照明カバー１７の本体１５への着脱が浴室１内からの略ワンタッチ操作で行えることになる。
【００２５】
このように、上記実施形態の浴室１の照明装置１４にあっては、照明装置１４の本体１５が天井パネル４と壁パネル３ｂのコーナ部１３に隙間形成手段としての凸条２２によって隙間２３を形成しつつ取り付けられると共に、照明カバー１７の後端部と壁パネル３ｂとの間にも前記隙間２３に連通する隙間２４が形成されているため、天井パネル４に発生する水滴Ｗを隙間２３、２４から壁パネル３ｂに流して照明装置１４内への侵入を確実に防止することができる。その結果、照明カバー１７内への水滴Ｗの溜まりによる照明光の陰等の発生が防止されると共に、照明カバー１７の水滴溜まりによる汚れも防止され、清潔な照明カバー１７により良好な照明状態を長期に亘り安定して得ることが可能になる。
【００２６】
また、照明装置１４の隙間形成手段として、本体基部１５ａに例えばプレス加工等で一体形成される凸条２２が使用されるため、隙間形成手段の構成を簡易にして水滴Ｗの侵入を確実に防止し得る照明装置１４を安価に提供することができる。特に、長尺状の蛍光管１６を使用する照明装置１４であっても、水滴溜まりを気にすることなく、浴室１の照明装置１４として使用して所望の照明状態を容易に得ること等が可能になる。また、凸条２２がリブ状に形成されていることから、この凸条２２によって長尺状の本体基部１５ａの剛性を高め、本体１５の安定した取付状態を得ることもできる。
【００２７】
さらに、照明カバー１７が透明部と半透明部を有するように形成されているため、正面１７ａの半透明部により照射光が入浴者の目に直接入ることを防止しつつ、下面１７ｂや上部傾斜面１７ｃの透光部から照射される光で、浴室１内に間接光による柔らかな雰囲気を醸し出すことができる。その際、特に上部傾斜面１７ｃからの照射光がドーム形の天井パネル４で反射されることから、天井パネル４内面の装飾等によって、浴室１内に一層効果的な照明状態を得ることが可能になる。
【００２８】
また、照明カバー１７に取付部２５ａ、２５ｂが一体形成され、本体基部１５ａにカバー取付部２０ａ、２０ｂがそれぞれ一体形成されているため、照明カバー１７の本体１５への取り付けを簡単に行うことができると共に、照明カバー１７を浴室１内の前方から略ワンタッチ操作で着脱できて、照明カバー１７や蛍光管１６の清掃あるいは蛍光管１６の交換等のメンテナンス作業も簡単に行うことができる。
【００２９】
またさらに、長尺状の照明装置１４が、天井パネル４と壁パネル３ｂのコーナ部１３の略全域に亘って配置されて、コーナ部１３が照明装置１４で覆われた状態となっているため、ミラーパネル８上部のコーナ空間を有効利用しつつ、意匠的に優れた浴室１を得ることが可能になる。
【００３０】
図５及び図６は、上記照明装置１４の天井パネル４への取付構造の変形例を示す断面図である。以下、上記部位と同一部位には同一符号を付して説明する。先ず、図５に示す照明装置１４の特徴は、本体基部１５ａを平坦な平板状に形成すると共に照明カバー１７を正面１７ａと下面１７ｂで形成し、本体基部１５ａを隙間形成手段としてのスペーサ２７を介してネジ２８で天井パネル４に取り付けるように構成した点にある。
【００３１】
この例においても、スペーサ２７によって本体基部１５ａが天井パネル４から所定高さ浮いた状態で取り付けられ、本体基部１５ａの裏面側に隙間２３が形成されることから、上記例と同様の作用効果を得ることができる。また、この例の場合は、スペーサ２７が本体基部１５ａの天井パネル４への取付部材をも兼用し、取付構造の簡略化を図ることができると共に、平板状の本体基部１５ａの成形が容易となって照明装置１４自体をより安価に形成できるという作用効果が得られる。
【００３２】
また、図６に示す照明装置１４の特徴は、本体基部１５ａの裏面側で図４の二点鎖線で示す位置に、隙間形成手段としての例えば４個（あるいは５個）の凸部２９を一体形成し、この凸部２９の先端を天井パネル４に当接させるようにした点にある。この例においても、本体基部１５ａの裏面と天井パネル４との間に凸部２９の高さに応じた隙間２３が形成されて上記例と同様の作用効果が得られる他に、隙間形成手段の構成をより一層簡略化できると共に、凸部２９が天井パネル４に点接触することから、各種状態の天井パネル４の表面に良好に当接して、取付状態の安定化が図れるという作用効果も得られる。
【００３３】
このように、照明装置１４のコーナ部１３への取付構造は、各種の取付構造を採用でき、例えば各例を組み合わせることもできる。また、照明装置１４のコーナ部１３への取り付けも、本体基部１５ａの天井パネル４への固定に限らず、例えばカバー受け部材１８を天井パネル４や壁パネル３ｂ等に固定することで、本体基部１５ａをコーナ部１３に取り付ける構造とする等、隙間２３、２４を有してコーナ部１３に取り付け得る適宜の構造を採用できる。また、照明カバー１７も、蛍光管１６の光を所定方向に照射し得る適宜の構造や形状を採用することができる。
【００３４】
なお、上記実施形態においては、照明装置１４が壁パネル３ｂや天井パネル４と略同一長さの長尺状の蛍光管１６を有する場合について説明したが、例えば１つの本体基部１５ａに複数本の蛍光管１６を長手方向に連設し、この各蛍光管１６に対応して着脱可能な複数の照明カバー１７を連接して設けたり、一つの照明カバー１７を着脱可能に配設する照明装置１４としても良い。
【００３５】
また、上記実施形態においては、浴室天井としての天井パネル４の全体が曲面となるように形成したが、本発明に係わる天井パネル４は、例えば図６に示すようにコーナ部１３のみ曲面状の天井パネル４であっても良いし、全体がフラットな天井パネル４であっても良い。さらに、上記実施形態における本体基部１５ａの形状、照明灯の種類、照明装置１４が配設されるコーナ部１３の位置等も一例であって、本発明の各発明に係わる要旨を逸脱しない範囲において適宜に変更することができる。
【００３６】
【発明の効果】
以上詳述したように、請求項１に記載の発明によれば、照明灯を有する本体がコーナ部に隙間形成手段を介して取り付けられるため、浴室天井で発生した水滴を隙間から浴室壁面を伝わって下方に流し落とすことができて、水滴の照明装置内への侵入が確実に防止され、良好な照明状態を安定して得ることができる。
【００３７】
また、請求項２に記載の発明によれば、請求項１に記載の発明の効果に加え、本体がコーナ部の略全域に亘って取り付けられるため、例えば照明灯として浴室壁面と略同一長さを有する長尺状の蛍光管等を水滴溜まりを気にすることなく安心して使用できて、浴室内に所望の照明状態を容易に得ることができる。
【００３８】
また、請求項３に記載の発明によれば、請求項１または２に記載の発明の効果に加え、隙間形成手段が本体に形成された凸条もしくは凸部であるため、例えば鋼板等からなる本体に凸部や凸条を一体形成することで隙間形成手段を簡単に形成でき、該隙間形成手段の構成を簡略化して、安価な照明装置を得ることができる。
【００３９】
また、請求項４に記載の発明によれば、請求項１ないし３に記載の発明の効果に加え、本体に照明カバーが着脱可能な照明カバー取付部が一体形成されるため、照明カバーを本体に略ワンタッチで簡単に着脱できて、例えば照明カバーの清掃等を容易に行うことができる。
【００４０】
また、請求項５に記載の発明によれば、請求項４に記載の発明の効果に加え、照明カバーが透光部と半透光部とを有するため、浴室内に照射される直接光と間接光を適宜に設定して、浴室内に所望の照明状態が容易に得られる等の効果を奏する。
【図面の簡単な説明】
【図１】本発明に係わる照明装置を使用した浴室の内部斜視図
【図２】同その照明装置の断面図
【図３】同照明カバーの断面図
【図４】同本体の斜視図
【図５】同照明装置の変形例を示す図２と同様の断面図
【図６】同照明装置の他の変形例を示す図２と同様の断面図
【図７】従来の照明装置の断面図
【符号の説明】
１・・・・・・・・・・浴室
３ａ〜３ｄ・・・・・・壁パネル
４・・・・・・・・・・天井パネル
５・・・・・・・・・・浴槽
１４・・・・・・・・・照明装置
１５・・・・・・・・・本体
１５ａ・・・・・・・・本体基部
１６・・・・・・・・・蛍光管
１７・・・・・・・・・照明カバー
１７ａ・・・・・・・・正面
１７ｂ・・・・・・・・下面
１７ｃ・・・・・・・・上部傾斜面
１８・・・・・・・・・カバー受け部材
１９・・・・・・・・・蛍光管ソケット
２０ａ、２０ｂ・・・・カバー取付部
２１・・・・・・・・・取付孔
２２・・・・・・・・・凸条
２３、２４・・・・・・隙間
２５ａ、２５ｂ・・・・取付部
２７・・・・・・・・・スペーサ
２８・・・・・・・・・ネジ
２９・・・・・・・・・凸部
Ｗ・・・・・・・・・・水滴
【図１】
2004247163.tif 000003
【図２】
2004247163.tif 000004
【図３】
2004247163.tif 000005
【図４】
2004247163.tif 000006
【図５】
2004247163.tif 000007
【図６】
2004247163.tif 000008
【図７】
2004247163.tif 000009